(57)【特許請求の範囲】
【請求項１】
第１乃至第Ｎ（Ｎ≧２）のＣＰＵと、
それぞれ、前記第１乃至第ＮのＣＰＵに対応づけられた第１乃至第ＮのダミーＣＰＵと、
第１乃至第Ｍ（Ｍ≧２）の記憶デバイスと、
それぞれ、前記第１乃至第Ｍの記憶デバイスに対応づけられた第１乃至第Ｍのダミー記憶デバイスと、
少なくともＮ＋Ｍ個のポートを有するメインスイッチと、
それぞれ、前記第１乃至第ＮのＣＰＵに対応づけられた、少なくとも３個のポートを含むポート群を有する第１乃至第ＮのＣＰＵ用スイッチと、
それぞれ、前記第１乃至第Ｍの記憶デバイスに対応づけられた、少なくとも３個のポートを含むポート群を有する第１乃至第Ｍの記憶デバイス用スイッチと、
を備え、
各ＣＰＵ用スイッチの前記ポート群が、自ＣＰＵ用スイッチに対応づけられているＣＰＵと、当該ＣＰＵに対応づけられているダミーＣＰＵと、前記メインスイッチの１ポートとに接続されており、
各記憶デバイス用スイッチの前記ポート群が、自記憶デバイス用スイッチに対応づけられている記憶デバイスと、当該記憶デバイスに対応づけられているダミー記憶デバイスと、前記メインスイッチの１ポートとに接続されており、
前記第１乃至第Ｍのダミー記憶デバイスのそれぞれが、識別情報要求を受信した場合に当該識別情報要求の送信元に自身の識別情報を返送するデバイスであり、
前記第１乃至第ＮのダミーＣＰＵのそれぞれが、或るダミー記憶デバイスからの識別情報の取得指示を受信した場合、前記識別情報要求の送信により当該ダミー記憶デバイスの識別情報の取得を試み、識別情報を取得できた場合には、当該識別情報を応答情報として前記取得指示の送信元装置に返送するデバイスである
ことを特徴とする情報処理システム。
【請求項２】
前記メインスイッチ、前記第１乃至第ＮのＣＰＵ用スイッチ、前記第１乃至第Ｍの記憶デバイス用スイッチのそれぞれのポート間の接続関係を制御するための接続管理装置であって、
第Ｊ（Ｎ≧Ｊ≧１）のＣＰＵと第Ｋ（Ｍ≧Ｋ≧１）の記憶デバイスとの間を接続することが指示された場合に、
第ＪのダミーＣＰＵと第Ｋのダミー記憶デバイスとが接続されるように、前記メインスイッチ、第ＪのＣＰＵ用スイッチ及び第Ｋの記憶デバイス用スイッチの中の１つ以上のスイッチを制御してから、第Ｋのダミー記憶デバイスからの識別情報の取得指示を第ＪのダミーＣＰＵに対して送信し、
当該取得指示に対する第ＪのダミーＣＰＵからの前記応答情報が第Ｋのダミー記憶デバイスの識別情報であった場合に、第ＪのＣＰＵと第Ｋの記憶デバイスとが接続されるように、第ＪのＣＰＵ用スイッチ及び／又は第Ｋの記憶デバイス用スイッチを制御する
接続管理装置を、さらに備える
ことを特徴とする請求項１に記載の情報処理システム。
【請求項３】
前記第１乃至第ＮのダミーＣＰＵのそれぞれが、或るダミー記憶デバイスからの識別情報の取得指示を受信した場合、前記識別情報要求の送信により当該ダミー記憶デバイスの識別情報の取得を試み、識別情報を取得できた場合には、当該識別情報を応答情報として前記取得指示の送信元装置に返送し、識別情報を取得できなかった場合には、その旨を示す情報を応答情報として前記送信元装置に返送するデバイスである
ことを特徴とする請求項１又は２に記載の情報処理システム。
【請求項４】
前記接続管理装置は、
前記取得指示に対する第ＪのダミーＣＰＵからの前記応答情報が第Ｋのダミー記憶デバイスの識別情報ではなかった場合、その旨を示すメッセージをディスプレイ上に表示する
ことを特徴とする請求項２に記載の情報処理システム。
【請求項５】
第１乃至第Ｎ（Ｎ≧２）のＣＰＵと、
それぞれ、前記第１乃至第ＮのＣＰＵに対応づけられた第１乃至第ＮのダミーＣＰＵと、
第１乃至第Ｍ（Ｍ≧２）の記憶デバイスと、
少なくともＮ＋Ｍ個のポートを有するメインスイッチと、
それぞれ、前記第１乃至第ＮのＣＰＵに対応づけられた、少なくとも３個のポートを含むポート群を有する第１乃至第ＮのＣＰＵ用スイッチと、
を備え、
各ＣＰＵ用スイッチの前記ポート群が、自ＣＰＵ用スイッチに対応づけられているＣＰＵと、当該ＣＰＵに対応づけられているダミーＣＰＵと、前記メインスイッチの１ポートとに接続されており、
前記第１乃至第Ｍの記憶デバイスが、前記メインスイッチの、前記ＣＰＵ用スイッチが接続されていない互いに異なるポートに接続されており、
前記第１乃至第ＮのダミーＣＰＵのそれぞれが、或る記憶デバイスからの識別情報の取得指示を受信した場合、当該記憶デバイスの識別情報の取得を試み、識別情報を取得できた場合には、当該識別情報を応答情報として前記取得指示の送信元装置に返送するデバイスである
ことを特徴とする情報処理システム。
【請求項６】
各記憶デバイスと前記メインスイッチのポートとの間に、各記憶デバイスと前記メインスイッチとの間の通信を中継する中継ユニットであって、或るダミーＣＰＵからの識別情報の出力指示を受信した場合には、自ユニット内に設定されている記憶デバイスの識別情報を当該ダミーＣＰＵに返送する中継ユニットが設けられている。
ことを特徴とする請求項５に記載の情報処理システム。
【発明の詳細な説明】
【技術分野】
【０００１】
本発明は、複数のＣＰＵ（Central Processing Unit）と複数の記憶デバイスとを含む
情報処理システムに関する。
【背景技術】
【０００２】
複数のＣＰＵを備えたシステムとして、図１に示した構成を有する情報処理システムが知られている。この情報処理システムは、各ＣＰＵ６０Ｘ（Ｘ＝Ａ〜Ｃ）に、任意の１つ以上のＨＤＤ（Hard Disk Drive）７０（７０Ａ〜７０Ｃ）を使用させることが出来るシ
ステムである。
【０００３】
具体的には、この情報処理システム内のエクスパンダ（EXPANDER）６５は、複数のポートを備え、それらのポート間の接続関係を外部から指定できるスイッチとなっている。そして、接続管理サーバ７５は、例えば、ＣＰＵ６０ＡにＨＤＤ７０Ａを使用させる場合には、図２Ａに示したように、エクスパンダ６５のＣＰＵ６０Ａが接続されているポートとＨＤＤ７０Ａが接続されているポートとに或るゾーンＩＤ（"ZONE1"中の“１”）を割り
当てることによりＣＰＵ６０Ａ・ＨＤＤ７０Ａ間を接続する。接続管理サーバ７５は、ＣＰＵ６０ＡにＨＤＤ７０Ｂも使用させる場合には、図２Ｂに示したように、エクスパンダ６５のＨＤＤ７０Ｃが接続されているポートに同じゾーンＩＤ割り当てることにより、ＣＰＵ６０Ａ・ＨＤＤ７０Ｂ間を接続する。
【０００４】
また、接続管理サーバ７５は、ＣＰＵ６０ＢにＨＤＤ７０Ｃを使用させる場合には、図２Ｃに示したように、エクスパンダ６５のＣＰＵ６０Ｂが接続されているポートとＨＤＤ７０Ｃが接続されているポートとに他のゾーンＩＤを割り当てることにより、ＣＰＵ６０Ｂ・ＨＤＤ７０Ｃ間を接続する。
【先行技術文献】
【特許文献】
【０００５】
【特許文献１】特開平６−２８２５１９号公報
【特許文献２】特開２００８−１１２３０３号公報
【発明の概要】
【発明が解決しようとする課題】
【０００６】
上記したように、従来の情報処理システム（図１、図２Ａ〜図２Ｃ）は、接続管理サーバ７５が、ＣＰＵ６０・ＨＤＤ７０間の接続関係を制御するものとなっている。そして、接続管理サーバ７５によるＣＰＵ６０・ＨＤＤ７０間の接続関係の制御は、通常は、問題なく行えるのであるが、接続管理サーバ７５内のプログラムのバグにより、意図したものとは異なる組み合わせのデバイスが接続されてしまう場合がある。また、接続管理サーバ７５に対する設定の誤りにより、意図したものとは異なる組み合わせのデバイスが接続されてしまう場合もある。
【０００７】
そして、上記構成の情報処理システムにおいて、或るＣＰＵ６０と接続されているＨＤＤ７０を把握できるのは、当該ＣＰＵ６０だけである。すなわち、接続管理サーバ７５は、エクスパンダ６５に対する制御を行った結果として、実際に接続されたのがどのＣＰＵ６０とどのＨＤＤ７０の組み合わせであるかを知る術を持たない。そのため、従来の情報処理システムでは、各ＣＰＵ６０のユーザ側から通知されるまで、間違った接続を行ってしまったことををシステムの管理者側が気づかない。
【０００８】
そして、上記のような問題が生じるのを防ぐために、或るＣＰＵ６０と或るＨＤＤ７０との接続直後に、当該ＣＰＵ６０を利用して正しいＨＤＤ７０が接続されたか否かを確認することも考えられる。ただし、ユーザに使用させているＣＰＵ６０を、システムの管理者側が利用できるということは、ユーザがＨＤＤ７０内に保存している情報をシステムの管理者側が読めるということである。従って、上記のような問題が生じるの防止するために、システム内のＣＰＵを利用することは好ましくない。
【０００９】
１つの側面では、本発明は、誤接続がなされるのを防止できる情報処理システムを提供することにある。
【課題を解決するための手段】
【００１０】
開示の技術の一観点によれば、
第１乃至第Ｎ（Ｎ≧２）のＣＰＵと、
それぞれ、第１乃至第ＮのＣＰＵに対応づけられた第１乃至第ＮのダミーＣＰＵと、
第１乃至第Ｍ（Ｍ≧２）の記憶デバイスと、
それぞれ、第１乃至第Ｍの記憶デバイスに対応づけられた第１乃至第Ｍのダミー記憶デバイスと、
少なくともＮ＋Ｍ個のポートを有するメインスイッチと、
それぞれ、第１乃至第ＮのＣＰＵに対応づけられた、少なくとも３個のポートを含むポート群を有する第１乃至第ＮのＣＰＵ用スイッチと、
それぞれ、第１乃至第Ｍの記憶デバイスに対応づけられた、少なくとも３個のポートを含むポート群を有する第１乃至第Ｍの記憶デバイス用スイッチと、
を備え、
各ＣＰＵ用スイッチのポート群が、自ＣＰＵ用スイッチに対応づけられているＣＰＵと、当該ＣＰＵに対応づけられているダミーＣＰＵと、メインスイッチの１ポートとに接続されており、
各記憶デバイス用スイッチのポート群が、自記憶デバイス用スイッチに対応づけられている記憶デバイスと、当該記憶デバイスに対応づけられているダミー記憶デバイスと、メインスイッチの１ポートとに接続されており、
第１乃至第Ｍのダミー記憶デバイスのそれぞれが、識別情報要求を受信した場合に当該識別情報要求の送信元に自身の識別情報を返送するデバイスであり、
第１乃至第ＮのダミーＣＰＵのそれぞれが、或るダミー記憶デバイスからの識別情報の取得指示を受信した場合、識別情報要求の送信により当該ダミー記憶デバイスの識別情報の取得を試み、識別情報を取得できた場合には、当該識別情報を応答情報として取得指示の送信元装置に返送するデバイスである
情報処理システムが提供される。
【００１１】
開示の技術の他の観点によれば、
第１乃至第Ｎ（Ｎ≧２）のＣＰＵと、
それぞれ、第１乃至第ＮのＣＰＵに対応づけられた第１乃至第ＮのダミーＣＰＵと、
第１乃至第Ｍ（Ｍ≧２）の記憶デバイスと、
少なくともＮ＋Ｍ個のポートを有するメインスイッチと、
それぞれ、第１乃至第ＮのＣＰＵに対応づけられた、少なくとも３個のポートを含むポート群を有する第１乃至第ＮのＣＰＵ用スイッチと、
を備え、
各ＣＰＵ用スイッチのポート群が、自ＣＰＵ用スイッチに対応づけられているＣＰＵと、当該ＣＰＵに対応づけられているダミーＣＰＵと、前記メインスイッチの１ポートとに接続されており、
第１乃至第Ｍの記憶デバイスが、メインスイッチの、ＣＰＵ用スイッチが接続されていない互いに異なるポートに接続されており、
第１乃至第ＮのダミーＣＰＵのそれぞれが、或る記憶デバイスからの識別情報の取得指示を受信した場合、当該記憶デバイスの識別情報の取得を試み、識別情報を取得できた場合には、当該識別情報を応答情報として取得指示の送信元装置に返送するデバイスである
情報処理システムが提供される。
【発明の効果】
【００１２】
誤接続がなされるのを防止できる情報処理システムを提供できる。
【図面の簡単な説明】
【００１３】
【図１】図１は、従来の情報処理システムの構成図である。
【図２Ａ】図２Ａは、従来の情報処理システムの接続管理サーバによる制御内容の説明図（その１）である。
【図２Ｂ】図２Ｂは、従来の情報処理システムの接続管理サーバによる制御内容の説明図（その２）である。
【図２Ｃ】図２Ｃは、従来の情報処理システムの接続管理サーバによる制御内容の説明図（その３）である。
【図３】図３は、第１実施形態に係る情報処理システムの構成図である。
【図４】図４は、第１実施形態に係る情報処理システムが備えるデバイステーブルの説明図である。
【図５】図５は、第１実施形態に係る情報処理システムが備えるユーザテーブルの説明図である。
【図６】図６は、第１実施形態に係る情報処理システムの接続管理サーバが実行する新規ユーザ用確認接続処理の流れ図である。
【図７】図７は、第１実施形態に係る情報処理システムの接続管理サーバが実行する既存ユーザ用確認接続処理の流れ図である。
【図８】図８は、新規ユーザ用確認接続処理によるユーザテーブルの更新結果例の説明図である。
【図９】図９は、新規ユーザ用確認接続処理中の情報処理システム１の状態例の説明図である。
【図１０】図１０は、新規ユーザ用確認接続処理中のデバイステーブルの内容例の説明図である。
【図１１】図１１は、新規ユーザ用確認接続処理中の情報処理システム１の状態例の説明図である。
【図１２】図１２は、新規ユーザ用確認接続処理完了時の情報処理システム１の状態例の説明図である。
【図１３】図１３は、新規ユーザ用確認接続処理完了時のデバイステーブルの内容例の説明図である。
【図１４】図１４は、既存ユーザ用確認接続処理中の情報処理システム１の状態例の説明図である。
【図１５】図１５は、既存ユーザ用確認接続処理中のデバイステーブルの内容例の説明図である。
【図１６】図１６は、既存ユーザ用確認接続処理完了時の情報処理システム１の状態例の説明図である。
【図１７】図１７は、既存ユーザ用確認接続処理完了時のデバイステーブルの内容例の説明図である。
【図１８】図１８は、第２実施形態に係る情報処理システムの構成図である。
【図１９】図１９は、第２実施形態に係る情報処理システムが備えるデバイステーブルの説明図である。
【図２０】図２０は、第２実施形態に係る情報処理システムの接続管理サーバが実行する新規ユーザ用確認接続処理の流れ図である。
【図２１】図２１は、第２実施形態に係る情報処理システムの接続管理サーバが実行する既存ユーザ用確認接続処理の流れ図である。
【図２２】図２２は、第２実施形態に係る情報処理システム内のエクスパンダの代わりに使用出来るエクスパンダの説明図である。
【発明を実施するための形態】
【００１４】
以下、本発明の幾つかの実施形態について、図面を参照して詳細に説明する。尚、以下で説明する各実施形態の構成は、本発明の例示に過ぎず、本発明は、各実施形態の構成に限定されないものである。
【００１５】
《第１実施形態》
まず、図３を用いて、第１実施形態に係る情報処理システム１の概要（主として、ハードウェア構成）を、説明する。
【００１６】
図３に示してあるように、本実施形態に係る情報処理システム１は、Ｎ（図３では、Ｎ＝３）個のＣＰＵ２０（２０Ａ〜２０Ｃ）、及び、Ｎ個のダミーＣＰＵ２２（２２Ａ〜２２Ｃ）を備える。また、情報処理システム１は、Ｍ（図３では、Ｍ＝３）個のＨＤＤ３０（３０Ａ〜３０Ｃ）、Ｍ個のダミーＨＤＤ３２（３２Ａ〜３２Ｃ）、エクスパンダ（EXPANDER）１０、Ｎ＋Ｍ個のエクスパンダ１２（１２Ａ〜１２Ｆ）及び接続管理サーバ４０も備える。尚、本情報処理システム１は、各ＣＰＵ２０を幾つかのＨＤＤ３０と共にネットワーク経由で特定のユーザ（個人、企業等）に使用させることを想定して開発したシステムである。従って、情報処理システム１は、システム内の各ＣＰＵ２０をネットワークに接続するためのインタフェース回路等（図示略）も備えている。
【００１７】
エクスパンダ１０は、Ｎ＋Ｍ個のＳＡＳ（Serial Attached SCSI(Small Computer System Interface)）ポート（以下、単にポートと表記する）を備えたエクスパンダ（スイッ
チ）である。このエクスパンダ１０は、同じゾーンＩＤが割り当てられているポート間を接続する機能を有している。各エクスパンダ１２も、エクスパンダ１０と同様に、同じゾーンＩＤが割り当てられているポート間を接続するエクスパンダである。各エクスパンダ１２は、３個のＳＡＳポートを備えている。
【００１８】
各エクスパンダ１０、１２は、ゾーンＩＤの設定指示等を受け付けるための通信インタフェース（図示略）を備えている。そして、各エクスパンダ１０、１２は、当該通信インタフェースを介して接続管理サーバ４０と接続されている。
【００１９】
エクスパンダ１０の各ポートは、互いに異なるエクスパンダ１２の１ポートと接続されている。エクスパンダ１２Ｘ（Ｘ＝Ａ〜Ｃ）の残りの２ポート（エクスパンダ１０が接続されていない２ポート）には、それぞれ、ＣＰＵ２０Ｘ及びダミーＣＰＵ２２Ｘが接続されている。また、エクスパンダ１２Ｄの残りの２ポートには、それぞれ、ＨＤＤ３０Ａ及びダミーＨＤＤ３２Ａが接続されており、エクスパンダ１２Ｅの残りの２ポートには、それぞれ、ＨＤＤ３０Ｂ及びダミーＨＤＤ３２Ｂが接続されている。そして、エクスパンダ１２Ｆの残りの２ポートには、それぞれ、ＨＤＤ３０Ｃ及びダミーＨＤＤ３２Ｃが接続されている。尚、図３に於いて、各エクスパンダ１０、１２の各ポートの近傍に示してある数値は、各ポートのポートＩＤである。
【００２０】
情報処理システム１内の各ダミーＨＤＤ３２は、所定のＩＤ要求を受信したときに、自身のデバイスＩＤを当該ＩＤ要求の送信元デバイスに送信する機能を有するデバイスである。情報処理システム１を構成（製造）する際、各ダミーＨＤＤ３２としては、通常、上記機能のみを有するデバイス（つまり、上記機能しか有さないが故に安価に製造できるデバイス）が使用される。
【００２１】
各ダミーＣＰＵ２２は、接続管理サーバ４０と通信を行うための通信インタフェースを備えた、ＩＤ読出機能を有するＳＡＳデバイスである。ここで、ＩＤ読出機能とは、或るダミーＨＤＤ３２からのＩＤの読出要求を接続管理サーバ４０から受信したときに、上記したＩＤ要求を送信することにより当該ダミーＨＤＤ３２からデバイスＩＤを取得して接続管理サーバ４０に返送する機能のことである。尚、各ダミーＣＰＵ２２が有するＩＤ読出機能は、ＩＤの読み出しに失敗した場合（ＩＤ要求への応答が所定時間内に得られなかった場合）、その旨を示す情報（以下、ＩＤ取得失敗通知と表記する）を接続管理サーバ４０に返送する機能となっている。また、情報処理システム１を構成（製造）する際には、上記したダミーＨＤＤ３２と同様に、このダミーＣＰＵ２２としても、通常、ＩＤ読出機能のみを有するデバイスが使用される。
【００２２】
接続管理サーバ４０は、基本的には、情報処理システム１内のＣＰＵ２０とＨＤＤ３０との間の接続関係が所望のものとなるようにエクスパンダ１０及び１２を制御する装置である。この接続管理サーバ４０は、２デバイスを実際に接続する前に、当該２デバイスが正しいものであることをダミーＣＰＵ２２等の制御により確認する機能（詳細は後述）を有している。
【００２３】
以上のことを前提に、以下、情報処理システム１の構成及び動作をさらに具体的に説明する。
情報処理システム１が備える接続管理サーバ４０は、ディスプレイ、キーボード等を備えたコンピュータのＨＤＤ（Hard Disk Drive）に、ＯＳ（Operating System）、確認接
続プログラム、構成データ等を記憶した装置である。
【００２４】
接続管理サーバ４０のＨＤＤに記憶されている構成データは、情報処理システム１内のデバイス（ＣＰＵ２０、ＨＤＤ３０、エクスパンダ１２等）の数及び種類やデバイス間の接続関係を示すデータ（詳細は後述）である。
【００２５】
確認接続プログラムは、自身がインストールされたコンピュータを、接続管理サーバ４０として動作させるプログラムである。この確認接続プログラムを実行した接続管理サーバ４０のＣＰＵ（Central Processing Unit）は、以下のように動作する。
【００２６】
確認接続プログラムの実行を開始したＣＰＵは、まず、ＨＤＤから構成データを読み出して、読み出した構成データに応じた内容のデバイステーブル４１をメインメモリ（以下、単にメモリと表記する）上に用意する。
【００２７】
図４に、確認接続プログラムの実行開始直後にＣＰＵがメモリ上に用意するデバイステーブル４１の一例を示す。
【００２８】
図４に示してあるように、デバイステーブル４１は、デバイスＩＤ（DEVICE ID）フィ
ールド、エクスパンダＩＤ（EXP ID）フィールド、ポートＩＤ（PORT ID）フィールド、
及び、ゾーン情報（ZONE）フィールドを有する。
【００２９】
エクスパンダＩＤフィールドは、情報処理システム１内のエクスパンダ１０又は１２のデバイスＩＤがエクスパンダＩＤとして設定されるフィールドである。ポートＩＤフィールドは、対応する（同じレコードに設定されている）エクスパンダＩＤにて識別されるエクスパンダが備える１ポートのポートＩＤが設定されるフィールドである。デバイスＩＤフィールドは、対応するエクスパンダＩＤ及びポートＩＤにて識別されるエクスパンダのポートに接続されているデバイス（ＣＰＵ２０、ダミーＣＰＵ２２等）のデバイスＩＤが設定されるフィールドである。尚、この図４を含む、デバイステーブル４１に関する各図
に於いて、“ＥＸＰ−Ｍ”とは、エクスパンダ１０のデバイスＩＤのことであり、“ＥＸＰ−Ｙ”（Ｙ＝Ａ〜Ｆ）とは、エクスパンダ１２ＹのデバイスＩＤのことである。“ＣＰＵ−Ｘ”（Ｘ＝Ａ〜Ｃ）とは、ＣＰＵ２０ＸのデバイスＩＤのことであり、“ＨＤＤ−Ｘ”とは、ＨＤＤ３０ＸのデバイスＩＤのことである。同様に、“ＤＵＭＭＹ  ＣＰＵ−Ｘ”（Ｘ＝Ａ〜Ｃ）とは、ダミーＣＰＵ２２ＸのデバイスＩＤのことであり、“ＤＵＭＭＹ
ＨＤＤ−Ｘ”とは、ダミーＨＤＤ３２ＸのデバイスＩＤのことである。
【００３０】
ゾーン情報フィールドは、対応するエクスパンダＩＤ及びポートＩＤにて識別されるエクスパンダのポートにゾーンＩＤが割り当てられていない場合には、“ＮＵＬＬ”が設定され、当該ポートにゾーンＩＤが割り当てられている場合には、そのゾーンＩＤが設定されるフィールドである。
【００３１】
ＨＤＤ上の構成データは、このデバイステーブル４１の、ゾーン情報フィールド以外の部分の内容を示すデータとなっている。より具体的には、構成データは、情報処理システム１内のポート毎に、そのポートのポートＩＤと、そのポートを備えたエクスパンダ１０又は１２のエクスパンダＩＤと、そのポートに接続されているデバイスのデバイスＩＤとからなる情報セットを含むデータとなっている。
【００３２】
確認接続プログラムの実行を開始したＣＰＵは、そのような構成データ中の各情報セットを、ゾーン情報“ＮＵＬＬ”と共にメモリ上に記憶することにより、デバイステーブル４１を用意する。
【００３３】
また、ＣＰＵは、メモリ上に、ユーザテーブル４２も用意する。
【００３４】
図５に、ＣＰＵがメモリ上に用意するユーザテーブル４２の内容を示す。この図５に示してあるように、ユーザテーブル４２は、ユーザＩＤフィールドとゾーンＩＤ（ZONE）フィールドとを有している。
【００３５】
ユーザＩＤフィールドは、幾つかのデバイス（ＣＰＵ２０、ＨＤＤ３０）を使用させているユーザのユーザＩＤが設定されるフィールドである。ゾーンＩＤフィールドは、対応する（同レコードに設定されている）ユーザＩＤを有するユーザに割り当てられているゾーンＩＤが設定されるフィールドである。図５に模式的に示してあるように、確認接続プログラムの実行開始直後にＣＰＵがメモリ上に用意するユーザテーブル４２は、有意な情報が何ら設定されていないテーブル（空のテーブル）となっている。
【００３６】
図４、図５に示したような内容のデバイステーブル４１及びユーザテーブル４２の用意が完了すると、ＣＰＵは、オペレータによる接続指示の入力を監視（待機）している状態となる。
【００３７】
ＣＰＵが入力を監視する接続指示には、新規ユーザに関する接続指示と既存ユーザに関する接続指示とがある。
【００３８】
ここで、新規ユーザとは、それまでいずれのＣＰＵ２０、ＨＤＤ３０も使用させていなかったユーザのことである。また、新規ユーザに関する接続指示とは、或る新規ユーザに或るＣＰＵ２０と或るＨＤＤ３０とを使用させることになった場合にオペレータが入力する指示のことである。この接続指示の入力時、オペレータは、新規ユーザのユーザＩＤと、接続すべき２デバイス（新規ユーザに使用させるＣＰＵ２０及びＨＤＤ３０）のデバイスＩＤとを指定する。
【００３９】
また、既存ユーザとは、いずれかのＣＰＵ２０とＨＤＤ３０とを既に使用させているユ
ーザのことである。そして、既存ユーザに関する接続指示とは、或る既存ユーザに使用させるＨＤＤ３０を増やすことになった場合にオペレータが入力する指示のことである。この接続指示の入力時、オペレータは、既存ユーザのユーザＩＤと、当該既存ユーザに新たに使用させるＨＤＤ３０のデバイスＩＤとを、指定する。
【００４０】
尚、接続指示時における新規ユーザのユーザＩＤの指定は、通常、新規ユーザ用のものとして用意されたユーザＩＤをキーボード入力することにより行われる。また、接続指示時における他の各情報（既存ユーザのユーザＩＤ、デバイスのデバイスＩＤ）の指定は、通常、ディスプレイ上に表示されるユーザ／デバイスリストからのユーザ／デバイスを選択することにより行われる。
【００４１】
ＣＰＵは、新規ユーザに関する接続指示が入力された場合、図６に示した手順の新規ユーザ用確認接続処理を開始する。また、ＣＰＵは、既存ユーザに関する接続指示が入力された場合には、図７に示した手順の既存ユーザ用確認接続処理を開始する。
【００４２】
まず、新規ユーザ用確認接続処理（図６）の内容を説明する。尚、以下の、新規ユーザ用確認接続処理に関する説明に於いて、接続対象デバイス（デバイス＝ＣＰＵ、ＨＤＤ）とは、或る新規ユーザに使用させることをオペレータが指定したデバイスのことである。また、注目ユーザとは、接続対象デバイスを使用させることにした新規ユーザのことである。そして、対応ダミーデバイス（対応ダミーＣＰＵ、対応ダミーＨＤＤ）とは、接続対象デバイスと同じエクスパンダ１２に接続されているダミーデバイス（ダミーＣＰＵ２２、ダミーＨＤＤ３２）のことである。
【００４３】
図６に示してあるように、この新規ユーザ用確認接続処理を開始したＣＰＵは、まず、注目ユーザ用のユニークなゾーンＩＤを決定し、決定したゾーンＩＤと注目ユーザのユーザＩＤとを設定したレコードをユーザテーブル４２に追加する（ステップＳ１１）。ここで、ユニークなゾーンＩＤとは、ユーザテーブル４２に既に記憶されているいずれのゾーンＩＤとも異なるゾーンＩＤのことである。
【００４４】
次いで、ＣＰＵは、デバイステーブル４１を参照することにより、対応ダミーＣＰＵと対応ダミーＨＤＤとの間の通信経路上に位置する各ポートを特定する（ステップＳ１２）。尚、本実施形態にて“或るポートを特定する”とは、“或るポートを示す情報（本実施形態では、或るポートのポートＩＤと当該ポートを備えたエクスパンダのエクスパンダＩＤとの組み合わせ）をデバイステーブル４１から収集する”ということである。
【００４５】
その後、ＣＰＵは、特定した各ポートに、ステップＳ１１の処理で決定したゾーンＩＤ（以下、ユーザ用ゾーンＩＤと表記する）を割り当てる（ステップＳ１３）。すなわち、ＣＰＵは、対応ダミーＣＰＵと接続されているエクスパンダ１２、対応ダミーＨＤＤと接続されているエクスパンダ１２、及び、エクスパンダ１０の設定を変更する処理を、このステップＳ１３にて行う。
【００４６】
続くステップＳ１４にて、ＣＰＵは、ユーザ用ゾーンＩＤを割り当てた各ポートに関する、デバイステーブル上のゾーン情報を、ユーザ用ゾーンＩＤに変更する。
【００４７】
ステップＳ１４の処理を終えたＣＰＵは、対応ダミーＣＰＵに対して、対応ダミーＨＤＤからデバイスＩＤを取得して返送することを指示する（ステップＳ１５）。
【００４８】
具体的には、このステップＳ１５にて、ＣＰＵは、まず、対応ダミーＨＤＤからのＩＤの読出要求を対応ダミーＣＰＵに対して送信する。
【００４９】
既に説明したように、各ダミーＨＤＤ３２は、『所定のＩＤ要求を受信したときに、自身のデバイスＩＤを当該ＩＤ要求の送信元デバイスに送信する機能』を有している。また、各ダミーＣＰＵ２２は、『或るダミーＨＤＤ３２からのＩＤの読出要求を接続管理サーバ４０から受信したときに、ＩＤ要求を送信することにより当該ダミーＨＤＤ３２からデバイスＩＤを取得して接続管理サーバ４０に返送するＩＤ読出機能』を有している。そして、各ダミーＣＰＵ２２が有するＩＤ読出機能は、デバイスＩＤの読み出しに失敗した場合、その旨を示すＩＤ取得失敗通知を接続管理サーバ４０に返送する機能となっている。
【００５０】
従って、ＣＰＵが、対応ダミーＨＤＤからのＩＤの読出要求を或るダミーＣＰＵ２２に送信すると、当該要求に対する応答情報（或るダミーＨＤＤ３２のデバイスＩＤかＩＤ取得失敗通知）が当該ダミーＣＰＵ２２から送信されてくる。
【００５１】
上記読出要求の送信を終えたＣＰＵは、この応答情報の受信を待機する。そして、ＣＰＵは、応答情報を受信したときに、ステップＳ１５の処理を終了する。
【００５２】
ステップＳ１５の処理を終えたＣＰＵは、受信した応答情報が、対応ダミーＨＤＤのデバイスＩＤであるか否かを判断する（ステップＳ１６）。受信した応答情報が、対応ダミーＨＤＤのデバイスＩＤではなかった場合（ステップＳ１６；ＮＯ）、ＣＰＵは、この新規ユーザ用確認接続処理を中止する。そして、ＣＰＵは、接続管理サーバ４０のディスプレイ上に何らかのエラーがある旨のメッセージを表示する処理であるエラーメッセージ表示処理を行う。
【００５３】
一方、応答情報が対応ダミーＨＤＤのデバイスＩＤであった場合（ステップＳ１６；ＹＥＳ）、ＣＰＵは、ユーザ用ゾーンＩＤを、各接続対象デバイスが接続されているエクスパンダ１２のポートに割り当てる（ステップＳ１７）。
【００５４】
次いで、ＣＰＵは、各対応ダミーデバイスポート（各対応ダミーデバイスが接続されているエクスパンダ１２のポート）に対するユーザ用ゾーンの割当を解除する（ステップＳ１８）。
【００５５】
そして、ＣＰＵは、ステップＳ１７、Ｓ１８の処理で設定を変えた各ポートに関するデバイステーブル４１上のゾーン情報を更新する（ステップＳ１９）。すなわち、このステップＳ１９にて、ＣＰＵは、接続対象ＣＰＵが接続されているポート及び接続対象ＨＤＤが接続されているポートのそれぞれに関するゾーン情報を、ユーザ用ゾーンＩＤに書き換える。さらに、ステップＳ１９にて、ＣＰＵは、対応ダミーＣＰＵが接続されているポート及び対応ダミーＨＤＤが接続されているポートのそれぞれに関するゾーン情報を、“ＮＵＬＬ”に書き換える。
【００５６】
ステップＳ１９の処理を終えたＣＰＵは、この新規ユーザ用確認接続処理を終了して、オペレータから接続指示が入力されるのを監視（待機）している状態に戻る。
【００５７】
ここで、ユーザテーブル４２が図５に示した内容のものとなっている状況下、ＣＰＵ２０ＡとＨＤＤ３０Ｂとを新規ユーザに使用させることになった場合を例に、新規ユーザ用接続確認処理の内容をさらに具体的に説明しておくことにする。
【００５８】
この場合、ステップＳ１１では、空であったユーザテーブル４２（図５）が、図８に示したような内容のテーブル（つまり、１個のレコードを保持したテーブル）に変更される。
【００５９】
次いで、ＣＰＵは、ステップＳ１２の処理を開始する。この処理時、ＣＰＵは、まず、
デバイステーブル４１上の情報に基づき、対応ダミーＣＰＵ（接続対象ＣＰＵであるＣＰＵ２０Ａと同じエクスパンダ１２に接続されているダミーＣＰＵ２２）が、ダミーＣＰＵ２２Ａであることを把握する。すなわち、ＣＰＵは、デバイステーブル４１（図４）の１個目（２行目）のレコードから、ＣＰＵ２０Ａ（デバイスＩＤ＝ＣＰＵ−Ａ）が接続されているエクスパンダがエクスパンダ１２Ａ（エクスパンダＩＤ＝ＥＸＰ−Ａ）であることを把握する。その後、ＣＰＵは、デバイステーブル４１の２個目のレコードから、そのエクスパンダ１２Ａに接続されているダミーＣＰＵ（つまり、対応ダミーＣＰＵ）が、ダミーＣＰＵ２２Ａ（デバイスＩＤ＝ＤＵＭＭＹ ＣＰＵ−Ａ）であることを把握する。
【００６０】
また、ＣＰＵは、デバイステーブル４１上の情報に基づき、対応ダミーＨＤＤ（接続対象ＨＤＤであるＨＤＤ３０Ｂと同じエクスパンダ１２に接続されているダミーＨＤＤ３２）が、ダミーＨＤＤ３２Ｂであることも把握する。
【００６１】
対応ダミーＣＰＵがダミーＣＰＵ２２Ａであり、対応ダミーＨＤＤがダミーＨＤＤ３２Ｂであることを把握したＣＰＵは、デバイステーブル４１上の情報に基づき、それらの間の通信経路上に位置する各ポートを特定する。ＣＰＵは、対応ダミーＣＰＵと対応ダミーＨＤＤとの間の通信経路上に位置するポートを、対応ダミーＣＰＵ側のポートと対応ダミーＨＤＤ側のポートとに分けて特定する。
【００６２】
すなわち、ＣＰＵは、対応ダミーＣＰＵ（ダミーＣＰＵ２２Ａ）側のポートとして、以下のポートを特定する。尚、以下の説明において、ポートｎとは、ポートＩＤがｎとなっているポートのことである。
・ダミーＣＰＵ２２Ａが接続されているエクスパンダ１２Ａのポート１
・エクスパンダ１０（デバイス／エクスパンダＩＤ＝ＥＸＰ−Ｍ）が接続されているエクスパンダ１２Ａのポート２、
・エクスパンダ１２Ａが接続されているエクスパンダ１０のポート０
【００６３】
また、ＣＰＵは、対応ダミーＨＤＤ（ダミーＨＤＤ３２Ｂ）側のポートとして、以下のポートを特定する。
・ダミーＨＤＤ３２Ｂが接続されているエクスパンダ１２Ｅ（エクスパンダＩＤ＝ＥＸＰ−Ｅ）のポート１
・エクスパンダ１０が接続されているエクスパンダ１２Ｅのポート２
・エクスパンダ１２Ｅが接続されているエクスパンダ１０のポート４
【００６４】
以上のような手順で対応ダミーデバイス間の通信経路上に位置する各ポートを特定（ステップＳ１２）したＣＰＵは、特定した各ポートに、ユーザ用ゾーンＩＤを割り当てる（ステップＳ１３）。また、ＣＰＵは、ユーザ用ゾーンＩＤを割り当てた各ポートに関するデバイステーブル４１上のゾーン情報をユーザ用ゾーンＩＤに変更する（ステップＳ１４）。
【００６５】
既に説明したように、各エクスパンダ１０、１２は、同じゾーンＩＤが割り当てられているポート間を接続するデバイス（スイッチ）である。従って、ここで説明している場合、ステップＳ１３までの処理が完了すると、図９に模式的に示してあるような状態、つまり、ダミーＣＰＵ２２Ａ・ダミーＨＤＤ３２Ｂ間の通信が可能な状態、が形成されることになる。また、続くステップＳ１４の処理により、デバイステーブル４１の内容が、図１０に示したものに更新されることになる。
【００６６】
その後、ＣＰＵは、対応ダミーＨＤＤからのＩＤの読出要求を対応ダミーＣＰＵに対して送信し、当該読出要求に対する応答情報の受信を待機する（ステップＳ１５）。そして、ＣＰＵは、受信した応答情報が、対応ダミーＨＤＤのデバイスＩＤであった場合（ステ
ップＳ１６；ＹＥＳ）には、ユーザ用ゾーンＩＤを、各接続対象デバイスが接続されているエクスパンダ１２のポートに割り当てる（ステップＳ１７）。
【００６７】
対応ダミーＣＰＵと対応ダミーＨＤＤとの間の通信経路上に存在する各ポートには、ステップＳ１３の処理により、既にユーザ用ゾーンＩＤが割り当てられている。そして、接続対象デバイスは、対応ダミーデバイスが接続されているエクスパンダ１２に接続されている。従って、ステップＳ１７までの処理が完了すると、図１１に模式的に示したような状態、すなわち、接続対象ＣＰＵであるＣＰＵ２０Ａと接続対象ＨＤＤであるＨＤＤ３０Ｂとの間の通信が可能な状態、が形成されることになる。
【００６８】
ただし、ステップＳ１７までの処理により形成される状態は、対応ダミーデバイス間の通信も可能な状態である。そして、対応ダミーデバイス間の通信はもはや不要なものであるため、各対応ダミーデバイスポートに対するユーザ用ゾーンの割当が解除される（ステップＳ１８）。その結果、情報処理システム１の状態は、図１２に模式的に示した状態、すなわち、ＣＰＵ２０Ａ・ＨＤＤ３２Ｂ間の通信は可能であるが、ダミーＣＰＵ２２Ａ・ダミーＨＤＤ３２Ｂ間の通信は行えない状態となる。
【００６９】
そして、ステップＳ１８（図６）の処理を終えたＣＰＵは、ステップＳ１７、Ｓ１８の処理で設定を変えた各ポートに関するデバイステーブル４１上のゾーン情報を更新する（ステップＳ１９）。従って、デバイステーブル４１が、図１３に示した内容のもの、すなわち、図１２の状態を表しているもの、に変更されることになる。
【００７０】
次に、既存ユーザ用確認接続処理（図７）の内容を説明する。尚、以下の、既存ユーザ用確認接続処理についての説明に於いて、接続対象ＨＤＤとは、或る既存ユーザに使用させることをオペレータが指定したＨＤＤ３０のことであり、接続対象ＣＰＵとは、当該既存ユーザが既に使用しているＣＰＵ２０のことである。注目ユーザとは、接続対象ＨＤＤを使用させることになった既存ユーザのことである。また、対応ダミーデバイス（対応ダミーＣＰＵ、対応ダミーＨＤＤ）とは、接続対象デバイスと同じエクスパンダ１２に接続されているダミーデバイスのことである。
【００７１】
図７に示してあるように、既存ユーザ用確認接続処理を開始したＣＰＵは、まず、ユーザテーブル４２から、注目ユーザのユーザＩＤに対応付けられているゾーンＩＤ（以下、ユーザ用ゾーンＩＤと表記する）を読み出す（ステップＳ２１）。
【００７２】
次いで、ＣＰＵは、デバイステーブル４１を参照することにより、対応ダミーＣＰＵと対応ダミーＨＤＤとの間の通信経路上に位置する各ゾーンＩＤ未割当ポートを特定する（ステップＳ２２）。尚、ゾーンＩＤ未割当ポートとは、ゾーンＩＤが未だ割り当てられていない（デバイステーブル４１上のゾーン情報が“ＮＵＬＬ”となっている）ポートのことある。
【００７３】
その後、ＣＰＵは、ステップＳ２２の処理で特定した各ゾーンＩＤ未割当ポートに、ユーザ用ゾーンＩＤを設定する（ステップＳ２３）。また、ＣＰＵは、ユーザ用ゾーンＩＤを、特定した各ゾーンＩＤ未割当ポートに関するゾーン情報としてデバイステーブル４１に記憶する処理（ステップＳ２４）も行う。
【００７４】
ステップＳ２４の処理を終えたＣＰＵは、ステップＳ２５にて、上記したステップＳ１５の処理と同内容の処理を行う。そして、ＣＰＵは、受信した応答情報が、対応ダミーＨＤＤのデバイスＩＤではなかった場合（ステップＳ２６；ＮＯ）には、この既存ユーザ用確認接続処理を中止して、既に説明したものと同内容のエラーメッセージ表示処理を行う。
【００７５】
一方、受信した応答情報が、対応ダミーＨＤＤのデバイスＩＤであった場合（ステップＳ２６；ＹＥＳ）、ＣＰＵは、ユーザ用ゾーンＩＤを、接続対象ＨＤＤが接続されているエクスパンダ１２のポートに割り当てる（ステップＳ２７）。次いで、ＣＰＵは、対応ダミーＨＤＤが接続されているエクスパンダ１２のポートに対するユーザ用ゾーンＩＤの割当を解除する（ステップＳ２８）。
【００７６】
その後、ＣＰＵは、デバイステーブル４１上の、接続対象ＨＤＤ等に関するゾーン情報を現状を表すものに変更する（ステップＳ２９）。そして、ＣＰＵは、この既存ユーザ用確認接続処理を終了して、オペレータから接続指示が入力されるのを監視している状態に戻る。
【００７７】
以下、テーブル４１、４２が、それぞれ、図１０、図８に示した内容のものとなっている状況下、ユーザＩＤがＡであるユーザにＨＤＤ３０Ａを使用させることになった場合を例に、既存ユーザ用確認接続処理の内容をさらに具体的に説明する。
【００７８】
この場合、ステップＳ２１では、ユーザテーブル４２（図８）から、ユーザ用ゾーンＩＤとして“１”が読み出される。
【００７９】
また、ステップＳ２２では、以下の４ポートが、『対応ダミーＣＰＵと対応ダミーＨＤＤとの間の通信経路上のゾーンＩＤ未割当ポート』として特定される。
・ダミーＣＰＵ２２Ａが接続されているエクスパンダ１２Ａのポート１
・ダミーＨＤＤ３２Ａが接続されているエクスパンダ１２Ｄ（エクスパンダＩＤ＝ＥＸＰ−Ｄ）のポート１
・エクスパンダ１０が接続されているエクスパンダ１２Ｄのポート２
・エクスパンダ１２Ｄが接続されているエクスパンダ１０のポート３
要するに、エクスパンダ１２Ａのポート２、エクスパンダ１０のポート０には、ゾーンＩＤとして既に“１”が割り当てられている（図１０参照）。そのため、それらのポートを除いた、対応ダミーＣＰＵと対応ダミーＨＤＤとの間の通信経路上のポートが、『対応ダミーＣＰＵと対応ダミーＨＤＤとの間の通信経路上のゾーンＩＤ未割当ポート』として特定される。
【００８０】
その後、各ゾーンＩＤ未割当ポートに、ユーザ用ゾーンＩＤ“１”が割り当てられる（ステップＳ２３）。従って、情報処理システム１の状態は、図１４に模式的に示したように、ダミーＣＰＵ２２ＡとダミーＨＤＤ３２Ａとが接続されている状態となる。また、ステップＳ２４の処理が行われる結果として、デバイステーブル４１は、図１５に示した内容のものとなる。
【００８１】
ステップＳ２４までの処理を終えたＣＰＵは、対応ダミーＨＤＤからのＩＤの読出要求を対応ダミーＣＰＵに対して送信し、当該読出要求に対する応答情報の受信を待機する（ステップＳ２５）。そして、ＣＰＵは、受信した応答情報が、対応ダミーＨＤＤのデバイスＩＤであった場合（ステップＳ２６；ＹＥＳ）には、ユーザ用ゾーンＩＤを、接続対象ＨＤＤが接続されているエクスパンダ１２のポートに割り当てる（ステップＳ２７）。
【００８２】
対応ダミーＣＰＵと対応ダミーＨＤＤとの間の通信経路上に存在する各ポートには、ステップＳ１３の処理により、既にユーザ用ゾーンＩＤが割り当てられている。そして、接続対象ＨＤＤは、対応ダミーＨＤＤが接続されているエクスパンダ１２に接続されている。従って、ステップＳ２７までの処理が完了すると、接続対象ＣＰＵであるＣＰＵ２０Ａと接続対象ＨＤＤであるＨＤＤ３０Ａとの間の通信が可能な状態が形成されることになる。
【００８３】
ただし、ステップＳ２７までの処理により形成される状態は、対応ダミーデバイス間の通信も可能な状態である。そして、対応ダミーデバイス間の通信はもはや不要なものであるため、各対応ダミーデバイスポートに対するユーザ用ゾーンの割当が解除される（ステップＳ２８）。その結果、情報処理システム１の状態は、図１６に模式的に示した状態、すなわち、ＣＰＵ２２Ａ・ＨＤＤ３２Ｂ間の通信及びＣＰＵ２２Ａ・ＨＤＤ３２Ａ間の通信は可能であるが、ダミーＣＰＵ２２Ａ・ダミーＨＤＤ３２Ａ間の通信は行えない状態となる。
【００８４】
そして、ステップＳ２８（図７）の処理を終えたＣＰＵは、ステップＳ２７、Ｓ２８の処理で設定を変えた各ポートに関するデバイステーブル４１上のゾーン情報を更新する（ステップＳ１９）。従って、デバイステーブル４１が、図１７に示した内容のもの、すなわち、図１６の状態を表しているもの、に変更されることになる。
【００８５】
以上、詳細に説明したように、本情報処理システム１は、基本的には、ユーザに使用させる各デバイス（ＣＰＵ２０、ＨＤＤ３０）間が、エクスパンダ１０により接続されるシステムとなっている。
【００８６】
ただし、各デバイスとエクスパンダ１０との間には、構成データ（デバイステーブル４１上の情報）にて各デバイスに対応づけられているダミーデバイス（ダミーＣＰＵ２２、ダミーＨＤＤ３２）が接続されたエクスパンダ１２が設けられている。そして、各ダミーＨＤＤ３２は、所定のＩＤ要求を受信したときに、自身のデバイスＩＤを当該ＩＤ要求の送信元デバイスに送信する機能を有している。また、各ダミーＣＰＵ２２は、ＩＤ要求の送信により接続管理サーバ４０が指定したダミーＨＤＤ３２のＩＤの取得を試み、ＩＤを取得できた場合には当該ＩＤを、ＩＤを取得できなかった場合にはＩＤ取得失敗通知を、接続管理サーバ４０に返送する機能を有している。
【００８７】
さらに、接続管理サーバ４０は、構成データに基づき、対応ダミーデバイス間を接続し、対応ダミーＣＰＵが対応ダミーＨＤＤのデバイスＩＤを取得できることを確認してから、接続対象デバイス間を接続する機能を有している。
【００８８】
そして、『対応ダミーＣＰＵが対応ダミーＨＤＤのデバイスＩＤを取得できたにも拘わらず、ステップＳ１７又はＳ２７の処理により接続対象デバイス間が接続されない』という現象が生ずるのは、構成データ（及び／又は各デバイス間の接続の仕方）に極めて特殊な誤りが存在する場合に限られる。
【００８９】
従って、本情報処理システム１は、接続対象ＣＰＵ２０を利用することなく、当該接続対象ＣＰＵ２０に接続対象ＨＤＤ３０をほぼ確実に接続できるシステムとなっているということが出来る。
【００９０】
《第２実施形態》
図１８に、第２実施形態に係る情報処理システム２の構成を示す。以下、上記した第１実施形態に係る情報処理システム１と異なっている部分を中心に、本実施形態に係る情報処理システム２の構成及び動作を、説明する。
【００９１】
図１８に示してあるように、情報処理システム２は、Ｎ（図１８では、Ｎ＝３）個のＣＰＵ２０（２０Ａ〜２０Ｃ）、及び、Ｎ個のダミーＣＰＵ２４（２４Ａ〜２４Ｃ）を備える。また、情報処理システム２は、Ｍ（図１８では、Ｍ＝３）個のＨＤＤ３０（３０Ａ〜３０Ｃ）、Ｍ個の中継ユニット１４（１４Ａ〜１４Ｃ）、エクスパンダ１０、Ｎ個のエクスパンダ１２（１２Ａ〜１２Ｃ）及び接続管理サーバ５０も備える。
【００９２】
情報処理システム２内のエクスパンダ１０、エクスパンダ１２、ＣＰＵ２０、ＨＤＤ３０は、それぞれ、情報処理システム１内のエクスパンダ１０、エクスパンダ１２、ＣＰＵ２０、ＨＤＤ３０と同じものである。
【００９３】
各中継ユニット１４Ｘ（Ｘ＝Ａ〜Ｃ）は、基本的には、ＨＤＤ３０Ｘとエクスパンダ１０との間を接続する（ＨＤＤ３０Ｘ・エクスパンダ１０間を通信を中継する）ユニットである。ただし、中継ユニット１４Ｘには、自身と接続されているＨＤＤ３０ＸのデバイスＩＤが予め設定されている。そして、中継ユニット１４Ｘは、所定のＩＤ要求をエクスパンダ１０側から受信した場合、当該ＩＤ要求をＨＤＤ３０Ｘ側に中継することなく、自ユニット内に設定されているデバイスＩＤを当該ＩＤ要求の送信元デバイスに送信する。
【００９４】
各ダミーＣＰＵ２４は、接続管理サーバ５０と通信を行うための通信インタフェースを備えた、ＩＤ読出機能を有するデバイスである。ここで、ＩＤ読出機能とは、或る中継ユニット１４からのデバイスＩＤの読出要求を接続管理サーバ４０から受信したときに、上記したＩＤ要求の送信により当該中継ユニット１４からデバイスＩＤを取得して接続管理サーバ４０に返送する機能のことである。尚、各ダミーＣＰＵ２４が有するＩＤ読出機能は、ＩＤの読み出しに失敗した場合（ＩＤ要求への応答が所定時間内に得られなかった場合）、その旨を示すＩＤ取得失敗通知を接続管理サーバ４０に返送する機能となっている。
【００９５】
接続管理サーバ５０は、接続管理サーバ４０と同様に、ディスプレイ、キーボード等を備えたコンピュータのＨＤＤに、ＯＳ、第２確認接続プログラム、第２構成データ等を記憶した装置である。
【００９６】
接続管理サーバ５０のＨＤＤに記憶されている第２構成データは、情報処理システム２内のデバイス（ＣＰＵ２０、ＨＤＤ３０、エクスパンダ１２等）の数及び種類やデバイス間の接続関係を示すデータ（詳細は後述）である。
【００９７】
第２確認接続プログラムは、自身がインストールされたコンピュータを、接続管理サーバ５０として動作させるプログラムである。この第２確認接続プログラムを実行した接続管理サーバ４０のＣＰＵは、以下のように動作する。
【００９８】
第２確認接続プログラムの実行を開始したＣＰＵは、まず、ＨＤＤから第２構成データを読み出して、読み出した構成データに応じた内容のデバイステーブル５１をメモリ上に用意する。
【００９９】
図１９に、第２確認接続プログラムの実行開始直後にＣＰＵがメモリ上に用意するデバイステーブル５１の一例を示す。
【０１００】
この図１９に示してあるように、デバイステーブル５１は、デバイステーブル４１（図４等参照）と同構成のテーブルである。
【０１０１】
ＨＤＤ上の第２構成データは、このデバイステーブル５１の、ゾーン情報フィールド以外の部分の内容を示すデータとなっている。より具体的には、第２構成データは、情報処理システム１内のポート毎に、そのポートのポートＩＤと、そのポートを備えたエクスパンダ１０、１２のエクスパンダＩＤと、そのポートに直接或いは中継ユニット１４を介して接続されているデバイスのデバイスＩＤとからなる情報セットを含むデータとなっている。
【０１０２】
ＣＰＵは、そのような第２構成データ中の各情報セットを、ゾーン情報“ＮＵＬＬ”と共にメモリ上に記憶することにより、デバイステーブル５１を用意する。
【０１０３】
また、ＣＰＵは、メモリ上に、ユーザテーブル４２（図５）と同構成、同内容のユーザテーブル５２も用意する。
【０１０４】
上記した内容のデバイステーブル５１及びユーザテーブル５２の用意が完了すると、ＣＰＵは、オペレータによる接続指示の入力を監視（待機）している状態となる。
【０１０５】
接続管理サーバ５０内のＣＰＵが入力を監視する接続指示は、接続管理サーバ４０内のＣＰＵが入力を監視する上記した接続指示と同じものである。
【０１０６】
そして、ＣＰＵは、新規ユーザに関する接続指示が入力された場合には、図２０に示した手順の新規ユーザ用確認接続処理を開始する。尚、以下の説明に於いて、接続対象デバイス（デバイス＝ＣＰＵ、ＨＤＤ）とは、或る新規ユーザに使用させることをオペレータが指定したデバイスのことであり、注目ユーザとは、接続対象デバイスを使用させることにした新規ユーザのことである。また、対応ダミーＣＰＵとは、接続対象ＣＰＵと同じエクスパンダ１２に接続されているダミーＣＰＵ２４のことである。
【０１０７】
図２０に示してあるように、この新規ユーザ用確認接続処理を開始したＣＰＵは、まず、注目ユーザ用のユニークなゾーンＩＤを決定し、決定したゾーンＩＤと注目ユーザのユーザＩＤとを設定したレコードをユーザテーブル５２に追加する（ステップＳ３１）。
【０１０８】
次いで、ＣＰＵは、デバイステーブル５１を参照することにより、対応ダミーＣＰＵと接続対象ＨＤＤとの間の通信経路上に位置する各ポートを特定する（ステップＳ３２）。その後、ＣＰＵは、特定した各ポートに、ステップＳ３１の処理で決定したゾーンＩＤであるユーザ用ゾーンＩＤを割り当てる（ステップＳ３３）。すなわち、ＣＰＵは、対応ダミーＣＰＵと接続されているエクスパンダ１２、及び、エクスパンダ１０の設定を変更する処理を、このステップＳ３３にて行う。
【０１０９】
続くステップＳ３４にて、ＣＰＵは、ユーザ用ゾーンＩＤを割り当てた各ポートに関する、デバイステーブル上のゾーン情報を、ユーザ用ゾーンＩＤに変更する。
【０１１０】
ステップＳ３４の処理を終えたＣＰＵは、対応ダミーＣＰＵに対して、接続対象ＨＤＤの中継ユニット１４からデバイスＩＤを取得して返送することを指示する（ステップＳ３５）。
【０１１１】
具体的には、このステップＳ３５にて、ＣＰＵは、まず、接続対象ＨＤＤの中継ユニット１４からのＩＤの読出要求を対応ダミーＣＰＵに対して送信する。
【０１１２】
既に説明したように、各中継ユニット１４Ｘ（Ｘ＝Ａ〜Ｃ）は、所定のＩＤ要求をエクスパンダ１０側から受信した場合、当該ＩＤ要求をＨＤＤ３０Ｘ側に中継することなく、自身に設定されているデバイスＩＤ（ＨＤＤ３０ＸのデバイスＩＤ）を当該ＩＤ要求の送信元デバイスに送信する。また、各ダミーＣＰＵ２４は、或る中継ユニット１４からのデバイスＩＤの読出要求を接続管理サーバ４０から受信したときに、ＩＤ要求の送信により当該中継ユニット１４からデバイスＩＤを取得して接続管理サーバ４０に返送するＩＤ読出機能を有している。さらに、各ダミーＣＰＵ２４が有するＩＤ読出機能は、ＩＤの読み出しに失敗した場合（ＩＤ要求への応答が所定時間内に得られなかった場合）、その旨を示すＩＤ取得失敗通知を接続管理サーバ４０に返送する機能となっている。
【０１１３】
従って、ＣＰＵが、接続対象ＨＤＤの中継ユニット１４からのＩＤの読出要求を或るダミーＣＰＵ２４に送信すると、当該要求に対する応答情報（或るＨＤＤ３２のデバイスＩＤかＩＤ取得失敗通知）が当該ダミーＣＰＵ２４から送信されてくる。
【０１１４】
上記読出要求の送信を終えたＣＰＵは、この応答情報の受信を待機する。そして、ＣＰＵは、応答情報を受信したときに、ステップＳ３５の処理を終了する。
【０１１５】
ステップＳ３５の処理を終えたＣＰＵは、受信した応答情報が、接続対象ＨＤＤのデバイスＩＤであるか否かを判断する（ステップＳ３６）。受信した応答情報が、接続対象ＨＤＤのデバイスＩＤではなかった場合（ステップＳ３６；ＮＯ）、ＣＰＵは、この新規ユーザ用確認接続処理を中止する。そして、ＣＰＵは、接続管理サーバ５０のディスプレイ上に何らかのエラーがある旨のメッセージを表示するエラーメッセージ表示処理を行う。
【０１１６】
一方、応答情報が接続対象ＨＤＤのデバイスＩＤであった場合（ステップＳ３６；ＹＥＳ）、ＣＰＵは、ユーザ用ゾーンＩＤを、接続対象ＣＰＵが接続されているエクスパンダ１２のポートに割り当てる（ステップＳ３７）。
【０１１７】
次いで、ＣＰＵは、対応ダミーＣＰＵが接続されているエクスパンダ１２のポートに対するユーザ用ゾーンの割当を解除する（ステップＳ３８）。
【０１１８】
そして、ＣＰＵは、ステップＳ３７、Ｓ３８の処理で設定を変えた各ポートに関するデバイステーブル４１上のゾーン情報を更新する（ステップＳ３９）。すなわち、このステップＳ３９にて、ＣＰＵは、接続対象ＣＰＵが接続されているポートに関するゾーン情報を、ユーザ用ゾーンＩＤに書き換える。さらに、ステップＳ３９にて、ＣＰＵは、対応ダミーＣＰＵが接続されているポートに関するゾーン情報を、“ＮＵＬＬ”に書き換える。
【０１１９】
ステップＳ３９の処理を終えたＣＰＵは、この新規ユーザ用確認接続処理を終了して、オペレータから接続指示が入力されるのを監視（待機）している状態に戻る。
【０１２０】
次に、図２１を用いて、接続管理サーバ５０のＣＰＵが実行する既存ユーザ用確認接続処理の内容を説明する。尚、以下の説明に於いて、接続対象ＨＤＤとは、或る既存ユーザに使用させることをオペレータが指定したＨＤＤ３０のことであり、注目ユーザとは、接続対象ＨＤＤを使用させることになった既存ユーザのことである。また、接続対象ＣＰＵとは、注目ユーザが既に使用しているＣＰＵ２０のことであり、対応ダミーＣＰＵとは、接続対象ＣＰＵと同じエクスパンダ１２に接続されているダミーＣＰＵ２４のことである。
【０１２１】
図２１に示してあるように、既存ユーザ用確認接続処理を開始したＣＰＵは、まず、ユーザテーブル５２から、注目ユーザのユーザＩＤに対応付けられているゾーンＩＤ（以下、ユーザ用ゾーンＩＤと表記する）を読み出す（ステップＳ４１）。
【０１２２】
次いで、ＣＰＵは、デバイステーブル５１を参照することにより、対応ダミーＣＰＵと接続対象ＨＤＤとの間の通信経路上に位置する、ゾーンＩＤが未だ割り当てられていない各ゾーンＩＤ未割当ポートを特定する（ステップＳ４２）。
【０１２３】
その後、ＣＰＵは、ステップＳ４２の処理で特定した各ゾーンＩＤ未割当ポートに、ユーザ用ゾーンＩＤを設定する処理（ステップＳ４３）を行う。また、ＣＰＵは、ユーザ用ゾーンＩＤを、特定した各ゾーンＩＤ未割当ポートに関するゾーン情報としてデバイステーブル５１に記憶する処理（ステップＳ４４）も行う。
【０１２４】
ステップＳ４４の処理を終えたＣＰＵは、ステップＳ４５にて、上記したステップＳ３５の処理と同内容の処理を行う。そして、ＣＰＵは、受信した応答情報が、対応ダミーＨＤＤのデバイスＩＤではなかった場合（ステップＳ４６；ＮＯ）には、この既存ユーザ用確認接続処理を中止して、既に説明したものと同内容のエラーメッセージ表示処理を行う。
【０１２５】
一方、受信した応答情報が、接続対象ＨＤＤのデバイスＩＤであった場合（ステップＳ４６；ＹＥＳ）、ＣＰＵは、対応ダミーＣＰＵが接続されているエクスパンダ１２のポートに対するユーザ用ゾーンＩＤの割当を解除する（ステップＳ４８）。
【０１２６】
その後、ＣＰＵは、デバイステーブル４１上の、対応ダミーＣＰＵが接続されているポートに関するゾーン情報を現状を表すものに変更する（ステップＳ４９）。そして、ＣＰＵは、この既存ユーザ用確認接続処理を終了して、オペレータから接続指示が入力されるのを監視している状態に戻る。
【０１２７】
以上、説明したように、この情報処理システム２の各ＣＰＵ２０とエクスパンダ１０との間には、第２構成データにて各ＣＰＵ２０に対応づけられているダミーＣＰＵ２４が接続されたエクスパンダ１２が設けられている。また、情報処理システム２の各ＨＤＤ３０とエクスパンダ１０との間には、各ＨＤＤ３０のデバイスＩＤをダミーＣＰＵ２４経由で接続管理サーバ５０に送信できる中継ユニット１４が設けられている。
【０１２８】
そして、接続管理サーバ５０は、対応ダミーＣＰＵと接続対象ＨＤＤ３０間を接続し、対応ダミーＣＰＵが中継ユニット１４から接続対象ＨＤＤ３０のデバイスＩＤを取得できることを確認してから、接続対象デバイス間を接続する機能を有している。
【０１２９】
そして、『対応ダミーＣＰＵが中継ユニット１４から接続対象ＨＤＤ３０のデバイスＩＤを取得できたにも拘わらず、ステップＳ３７又はＳ４４の処理により接続対象デバイス間が接続されない』という現象が生ずるのは、第２構成データ（及び／又は各デバイス間の接続の仕方）に極めて特殊な誤りが存在する場合に限られる。
【０１３０】
従って、本情報処理システム２も、接続対象ＣＰＵ２０を利用することなく、当該接続対象ＣＰＵ２０に接続対象ＨＤＤ３０をほぼ確実に接続できるシステムとなっているということが出来る。
【０１３１】
《変形形態》
上記した各実施形態に係る情報処理システム１、２は、各種の変形を行うことが出来るものである。例えば、第２実施形態に係る情報処理システム２から、各中継ユニット１４を取り除く（エクスパンダ１０と各ＨＤＤ３０とを直結する）ことも出来る。ただし、各中継ユニット１４を取り除いた情報処理システム２では、ユーザが使用しているＨＤＤ３０を、デバイスＩＤの読み出しのためだけではあるが、利用してしまう場合があることになる。一方、中継ユニット１４を備えた情報処理システム２、ダミーＨＤＤ３２を備えた情報処理システム１によれば、ユーザが使用しているＨＤＤ３０を、全く利用せずに、正しい接続を行えるか否かを判定できる。従って、上記した実施形態の構成を採用しておくことが好ましい。
【０１３２】
各実施形態に係る情報処理システム１、２を、ダミーＣＰＵ２２、２４を用いたチェックが、２接続対象デバイスの接続とは全く無関係に行えるシステム（例えば、ＨＤＤ３０の増設時等にダミーＣＰＵ２２、２４を用いたチェックが行えるシステム）に変形することも出来る。
【０１３３】
情報処理システム１、２内の各エクスパンダ１０、１２を、図２１に模式的に示したようなエクスパンダ１０′、すなわち、ゾーンＩＤとアクセス権マトリクス１５とに従ってポート間を接続するエクスパンダ１０′に変更することも出来る。
【０１３４】
さらに、情報処理システム１、２内の各エクスパンダ１０、１２を、ＳＡＳエキスパンダ以外のスイッチに変更しても良いことや、情報処理システム１、２を、ＣＰＵ２０とＨＤＤ３０以外の記憶装置（例えばＳＳＤ（Solid State Drive））とを接続するシステム
や、ＣＰＵ２０とＨＤＤ３０及びＨＤＤ３０以外の記憶装置とを接続するシステムに変形しても良いことなどは当然のことである。
【符号の説明】
【０１３５】
１、２    情報処理システム
１０、１２、１２Ａ〜１２Ｆ、１０′    エクスパンダ
１４    中継ユニット
１５    アクセス権マトリクス
２０、２０Ａ〜２０Ｃ    ＣＰＵ
２２、２２Ａ〜２２Ｃ、２４、２４Ａ〜２４Ｃ    ダミーＣＰＵ
３０、３０Ａ〜３０Ｃ    ＨＤＤ
３２、３２Ａ〜３２Ｃ    ダミーＨＤＤ
４０、５０    接続管理サーバ
４１、５１    デバイステーブル
４２、５２    ユーザテーブル
【図１】
0005861518.tif 000002
【図２Ａ】
0005861518.tif 000003
【図２Ｂ】
0005861518.tif 000004
【図２Ｃ】
0005861518.tif 000005
【図３】
0005861518.tif 000006
【図４】
0005861518.tif 000007
【図５】
0005861518.tif 000008
【図６】
0005861518.tif 000009
【図７】
0005861518.tif 000010
【図８】
0005861518.tif 000011
【図９】
0005861518.tif 000012
【図１０】
0005861518.tif 000013
【図１１】
0005861518.tif 000014
【図１２】
0005861518.tif 000015
【図１３】
0005861518.tif 000016
【図１４】
0005861518.tif 000017
【図１５】
0005861518.tif 000018
【図１６】
0005861518.tif 000019
【図１７】
0005861518.tif 000020
【図１８】
0005861518.tif 000021
【図１９】
0005861518.tif 000022
【図２０】
0005861518.tif 000023
【図２１】
0005861518.tif 000024
【図２２】
0005861518.tif 000025